(57)【要約】【課題】  プリンタ本体の周囲のスペースを狭めることなく、ファンフォールド紙を載置するスペースを確保できるようにし、スペース効率の向上を図る。【解決手段】  一側面２にファンフォールド紙Ｓを取り入れる取入口３を有しこの取入口３からを取り入れたファンフォールド紙Ｓに対して印字を行なうプリンタ本体１を備え、プリンタ本体１を支持するベース部材１０を備え、ベース部材１０を介してプリンタ本体１を支持するとともに、プリンタ本体１の下部に取入口３に至るファンフォールド紙Ｓを収納する収納空間Ｅを形成する一対の脚部材２０を設け、各脚部材２０をベース部材１０に折り畳み可能になるようにした。【選択図】  図１
2009214401.tif 000002
【特許請求の範囲】
【請求項１】
一側面にファンフォールド紙を取り入れる取入口を有し該取入口からを取り入れたファンフォールド紙に対して印字を行なうプリンタ本体を備えたプリンタにおいて、
上記プリンタ本体を支持するとともに、上記プリンタ本体の下部に上記取入口に至るファンフォールド紙を収納する収納空間を形成する脚部材を備えたことを特徴とするプリンタ。
【請求項２】
上記脚部材を、上記プリンタ本体に対して折り畳み可能にしたことを特徴とする請求項１記載のプリンタ。
【請求項３】
上記脚部材を、上記プリンタ本体に対して着脱可能にしたことを特徴とする請求項１記載のプリンタ。
【請求項４】
上記プリンタ本体を支持するベース部材を備え、上記脚部材を、上記ベース部材に設けたことを特徴とする請求項２または３記載のプリンタ。
【請求項５】
上記プリンタ本体の一側面に、上記収納空間から上記取入口に至るファンフォールド紙が摺接し、該プリンタ本体の一側面の一部を覆うプロテクタを設けたことを特徴とする請求項１乃至４いずれかに記載のプリンタ。
【請求項６】
上記脚部材を高さ可変に形成したことを特徴とする請求項１乃至５いずれかに記載のプリンタ。
【発明の詳細な説明】
【技術分野】
【０００１】
本発明は、ファンフォールド紙に対して印字を行なうプリンタ本体を備えたプリンタに関する。
【背景技術】
【０００２】
この種のプリンタは、例えば、一側面にファンフォールド紙を取り入れる取入口を有し、この取入口からを取り入れたファンフォールド紙に対して印字を行なうプリンタ本体を備えている（例えば、特開２００６−６８９０２号公報掲載）。
ファンフォールド紙としては、例えば、種々の物品に貼付されるラベル用のものが知られており、所定の幅ごとに折り曲げ方向を交互に変えて順次折り曲げて構成されている。
そして、プリンタ本体に取り入れられる前のファンフォールド紙は、例えば、プリンタ本体の側方あるいは後方においてトレーなどに折りたたまれた状態で載置され、この側方あるいは後方からプリンタ本体に取り込まれるようになっている。
【０００３】
【特許文献１】特開２００６−６８９０２号公報
【発明の開示】
【発明が解決しようとする課題】
【０００４】
ところで、この従来のプリンタにおいては、ファンフォールド紙をプリンタ本体の側方あるいは後方においてトレーなどに折りたたまれた状態で載置し、この側方からプリンタ本体に取り込むようにしているので、ファンフォールド紙を載置するスペースをプリンタ本体の周囲に確保しなければならないことから、それだけ、周囲のスペースを狭めてしまうという問題があった。特に、軽量で小型のプリンタにおいては、そのメリットが半減してしまう。
【０００５】
本発明は上記の問題点に鑑みて為されたもので、プリンタ本体の周囲のスペースを狭めることなく、ファンフォールド紙を載置するスペースを確保できるようにし、スペース効率の向上を図ったプリンタを提供することを目的とする。
【課題を解決するための手段】
【０００６】
上記課題を解決するため、本発明のプリンタは、一側面にファンフォールド紙を取り入れる取入口を有し該取入口からを取り入れたファンフォールド紙に対して印字を行なうプリンタ本体を備えたプリンタにおいて、上記プリンタ本体を支持するとともに、上記プリンタ本体の下部に上記取入口に至るファンフォールド紙を収納する収納空間を形成する脚部材を備えた構成としている。
【０００７】
これにより、プリンタ本体によって印字を行なうときは、折り畳まれたファンフォールド紙を収納空間に入れて載置し、ファンフォールド紙の先端を引き伸ばして、取入口へ差し込む。この状態で、印字を行なうと、ファンフォールド紙は、プリンタ本体の下部の収納空間から順次引き上げられて行く。この場合、ファンフォールド紙はプリンタ本体の下部に形成された収納空間に収納されるので、従来のように、プリンタ本体の周囲に位置しないことから、周囲のスペースを狭めることがなくなり、それだけ、スペース効率が向上させられる。
【０００８】
この構成において、上記脚部材を、上記プリンタ本体に対して折り畳み可能にしたことが有効である。
あるいはまた、上記脚部材を、上記プリンタ本体に対して着脱可能にしたことが有効である。
これにより、倉庫への収納時や搬送時などプリンタの未使用時においては、脚部材を折り畳んでおくことができる。あるいは、脚部材を取外しておくことができる。そのため、全体がコンパクトになり、プリンタの収納スペースを小さいものにすることができる。
【０００９】
また、必要に応じ、上記プリンタ本体を支持するベース部材を備え、上記脚部材を、上記ベース部材に設けた構成としている。脚部材をプリンタ本体に直接設けるようにしてもよいが、ベース部材に脚部材を設けることにより、プリンタ本体に、脚部材を取り付ける特別の加工を施すことをしなくてもよいことから、既存のプリンタに適用することができ、汎用性が増加させられる。
【００１０】
更に、必要に応じ、上記プリンタ本体の一側面に、上記収納空間から上記取入口に至るファンフォールド紙が摺接し、該プリンタ本体の一側面の一部を覆うプロテクタを設けた構成としている。これにより、プリンタ本体の一側面の一部に、例えば、配線用のコネクタが突出している場合でも、プロテクタにより覆うことができる。そのため、印字時において、ファンフォールド紙が、収納空間から順次引き上げられて行く際には、プロテクタを摺接するので、プロテクタに覆われたコネクタに干渉することがなく、それだけ、ファンフォールド紙の移行が円滑に行なわれる。
【００１１】
また、必要に応じ、上記脚部材を高さ可変に形成している。収容空間内に載置されるファンフォールド紙は、用紙の厚みや枚数により高さが異なるが、脚部材の高さが可変なので、脚部財の高さ調整を行なって、ファンフォールド紙をその高さに応じて収容できるようになる。
【発明の効果】
【００１２】
本発明のプリンタによれば、ファンフォールド紙をプリンタ本体の下部に形成された収納空間に収納することができるので、従来のように、ファンフォールド紙をプリンタ本体の周囲に位置させなくてもよくなり、そのため、周囲のスペースを狭めることがなくなり、それだけ、スペース効率を大幅に向上させることができる。
【発明を実施するための最良の形態】
【００１３】
以下、添付図面に基づいて、本発明の実施の形態に係るプリンタについて詳細に説明する。
図１乃至図４には、本発明の実施の形態に係るプリンタを示している。この実施の形態に係るプリンタＰは、一側面２（実施の形態では後側面）にファンフォールド紙Ｓを取り入れる取入口３を有し、取入口３からを取り入れたファンフォールド紙Ｓに対して印字を行なうプリンタ本体１を備えている。ファンフォールド紙Ｓとしては、例えば、種々の物品に貼付されるラベル用のものが知られており、所定の幅ごとに折り曲げ方向を交互に変えて順次折り曲げて構成されている。また、プリンタ本体１の一側面２であって、取入口３の下側の一部には、配線が接続されたコネクタ４が突設されている。
【００１４】
また、プリンタＰは、プリンタ本体１を支持する矩形板状のベース部材１０を備えている。ベース部材１０の上面には、プリンタ本体１の底部に係合しプリンタ本体１の位置ずれを規制する複数（実施の形態では４つ）の位置決めピン１１が突設されている。
【００１５】
ベース部材１０には、このベース部材１０を介してプリンタ本体１を支持するとともに、プリンタ本体１の下部に取入口３に至るファンフォールド紙Ｓを収納する収納空間Ｅを形成する一対の脚部材２０が設けられている。各脚部材２０は、矩形板状に形成されており、プリンタ本体１に対して折り畳み可能になるように、ファンフォールド紙Ｓの移動方向左右において、ベース部材１０の下側縁部に、夫々設けられている。詳しくは、脚部材２０の一側縁部は、ヒンジ２１を介してベース部材１０の下側縁部に回動可能に設けられており、この回動により、脚部材２０は、ファンフォールド紙Ｓを収納する収納空間Ｅを形成する立設位置Ｘ及び折り畳まれてベース部材１０と平行に密着する倒置位置Ｙの２位置に位置させられる。符号２２は、脚部材２０の立設位置Ｘにおいて、ベース部材１０の上側縁部から脚部材２０の一側縁部に差し込まれて、脚部材２０の回動をロックするロックピンである。
【００１６】
また、プリンタ本体１の一側面２には、収納空間Ｅから取入口３に至るファンフォールド紙Ｓが摺接し、プリンタ本体１のコネクタ４のある一側面２の一部を覆う例えば樹脂製のプロテクタ３０が設けられている。プロテクタ３０は、例えば、上に凸になるように湾曲形成され、一端が取入口３の下部に取り付けられ、他端側が垂下している。
【００１７】
従って、この実施の形態に係るプリンタＰによれば、倉庫への収納時や搬送時など未使用時においては、脚部材２０を倒置位置Ｙに折り畳み、ベース部材１０と平行に密着させておく。そのため、全体がコンパクトになり、プリンタＰの収納スペースを小さいものにすることができる。
【００１８】
また、プリンタＰを設置して使用するときは、脚部材２０を倒置位置Ｙから立設位置Ｘに回動させ、ロックピン２２を差し込んで組み立てる。これにより、プリンタ本体１の下部には、ファンフォールド紙Ｓを収納する収納空間Ｅが形成される。そして、プリンタ本体１によって印字を行なうときは、折り畳まれたファンフォールド紙Ｓを収納空間Ｅに入れて載置し、ファンフォールド紙Ｓの先端を引き伸ばして、プロテクタ３０の上面に当接させて取入口３へ差し込む。この状態で、印字を行なうと、ファンフォールド紙Ｓは、プリンタ本体１の下部の収納空間Ｅから順次引き上げられて行く。
【００１９】
この場合、ファンフォールド紙Ｓはプリンタ本体１の下部に形成された収納空間Ｅに収納されるので、従来のように、プリンタ本体１の周囲に位置しないことから、周囲のスペースを狭めることがなくなり、それだけ、スペース効率が向上させられる。
また、ファンフォールド紙Ｓが、収納空間Ｅから順次引き上げられて行く際には、プロテクタ３０を摺接するので、プロテクタ３０に覆われたコネクタ４に干渉することがなく、それだけ、移行が円滑に行なわれる。
【００２０】
図５には、別の実施の形態に係るプリンタＰのベース部材１０及び脚部材２０を示している。これは、上記と略同様に構成されるが、上記と異なって、各脚部材２０がプリンタ本体１に対して着脱可能になるように、ファンフォールド紙Ｓの移動方向左右において、ベース部材１０の下側縁部に、夫々設けられている。詳しくは、ベース部材１０の両下側縁部には、長手方向に沿ってアリ溝４０が形成されている一方、脚部材２０の一側縁部にはアリ溝４０に係合するホゾ４１が形成されており、このアリ溝４０に、ホゾ４１をスライドさせて挿通することにより、脚部材２０は、ベース部材１０に対して装着されるようになっている。
【００２１】
従って、この実施の形態に係るプリンタＰによれば、倉庫への収納時や搬送時など未使用時においては、脚部材２０をベース部材１０から外しておく。そのため、全体がコンパクトになり、プリンタＰの収納スペースを小さいものにすることができる。
また、プリンタＰを設置して使用するときは、脚部材２０をそのホゾ４１をベース部材１０のアリ溝４０に挿通させて係合し、組み立てる。これにより、プリンタ本体１の下部には、ファンフォールド紙Ｓを収納する収納空間Ｅが形成される。これにより、上記と同様の作用，効果が奏される。
【００２２】
図６には、また別の実施の形態に係るプリンタＰの脚部材２０を示している。これは、図５に示す脚部材２０と略同様に構成されるが、上記と異なって、各脚部材２０が高さ可変に形成されている。詳しくは、各脚部材２０は、長尺分割体２０Ａと、１つまたは複数（実施の形態では１つ）の短尺分割体２０Ｂに互いに連結可能に分割形成されている。詳しくは、長尺分割体２０Ａ及び短尺分割体２０Ｂの上端縁には、ベース部材１０のアリ溝４０に係合可能な形状のホゾ４１が形成されており、これらの下端縁にはこれらのホゾ４１が係合可能な形状のアリ溝４０が形成されている。
【００２３】
従って、この実施の形態に係るプリンタＰによれば、先ず、脚部材２０の長尺分割体２０Ａをベース部材１０に取り付ける。そして、必要に応じ、短尺分割体２０Ｂを長尺分割体２０Ａに連結する。これにより、収容空間Ｅ内に載置されるファンフォールド紙Ｓは、用紙の厚みや枚数により高さが異なるが、脚部材２０の高さが可変なるので、脚部材２０の高さ調整を行なって、ファンフォールド紙Ｓをその高さに応じて収容できるようになる。他の作用，効果は上記と同様である。
尚、上記短尺分割体２０Ｂは、１つではなく、複数設けるようにしてよい。その場合には、高さ調整の自由度が増す。
尚また、上記実施例では脚部材２０の高さ調整は、分割体２０Ａ，２０Ｂの連結若しくは解除を行なうことにより実現したが、必ずしもこれに眼底されるものではなく、脚部材２０を伸縮可能に形成して実現するなど、適宜変更して差支えない。
【００２４】
また、上記実施の形態において、脚部材２０をベース部材１０に設けたが、必ずしもこれに限定されるものではなく、プリンタ本体１に直接設けるようにしてもよく、適宜変更して差支えない。しかし、脚部材２０をベース部材１０に設けた方が、プリンタ本体１に加工を施すことをしなくてもよいことから、汎用性が増し、好ましい。
【図面の簡単な説明】
【００２５】
【図１】本発明の実施の形態に係るプリンタを示す一部切欠き正面図である。
【図２】本発明の実施の形態に係るプリンタを示す側面図である。
【図３】本発明の実施の形態に係るプリンタにおいて脚部材の倒置位置の状態を示す側面図である。
【図４】本発明の実施の形態に係るプリンタにおいて脚部材の倒置位置及び立設位置の状態を示す斜視図である。
【図５】本発明の別の実施の形態に係るプリンタのベース部材及び脚部材を示す斜視図である。
【図６】本発明のまた別の実施の形態に係るプリンタのベース部材及び脚部材を示す図である。
【符号の説明】
【００２６】
Ｐ  プリンタ
Ｓ  ファンフォールド紙
１  プリンタ本体
２  一側面
３  取入口
４  コネクタ
１０  ベース部材
１１  位置決めピン
２０  脚部材
Ｅ  収納空間
Ｘ  立設位置
Ｙ  倒置位置
２０Ａ  長尺分割体
２０Ｂ  短尺分割体
２１  ヒンジ
２２  ロックピン
３０  プロテクタ
４０  アリ溝
４１  ホゾ
【図１】
2009214401.tif 000003
【図２】
2009214401.tif 000004
【図３】
2009214401.tif 000005
【図４】
2009214401.tif 000006
【図５】
2009214401.tif 000007
【図６】
2009214401.tif 000008